(57)【要約】【課題】この発明は、簡易な構成で、発熱素子の安定した迅速な立ち上がり始動を実現し得るようにすることにある。【解決手段】共振器を構成する結晶１１、第１及び第２のハーフミラー１２，１３を、結晶ホルダー部材１４、第１及び第２のミラーホルダー部材１５，１６を介して取付ベース１０に配置して、この結晶ホルダー部材１４、第１及び第２のミラーホルダー部材１５，１６に加熱ヒータ１７，１８，１９を熱的に結合して配置すると共に、取付ベース１０に冷却器２２を設け、レーザ光を照射していない共振器の非駆動状態で加熱ヒータ１７，１８，１９を駆動して結晶ホルダー部材１４、第１及び第２のミラーホルダー部材１５，１６を加熱制御すると共に、冷却器２２で取付ベース１０を温度制御し、レーザ光を照射した共振器の駆動状態で、加熱ヒータ１７，１８，１９の駆動が停止制御されて共振器が発熱されると共に、冷却器２２による取付ベース１０の温度制御を行うように構成した。【選択図】図１
2010093201.tif 000002
【特許請求の範囲】
【請求項１】
取付ベースに熱的に結合されて配置された発熱素子と、
この発熱素子に近接して前記取付ベースに熱的に結合されて配置され、該取付ベースを加熱制御する加熱手段と、
前記取付ベースを冷却する冷却手段と、
この冷却手段を、前記取付ベースの発熱素子近傍の温度に応じて駆動して前記取付ベースを温度制御する温調制御手段と、
前記発熱素子の非駆動状態で、前記加熱手段を駆動制御し、前記発熱素子の駆動に応動して前記加熱手段の駆動を停止する発熱制御手段と、
を具備することを特徴とする温調装置。
【請求項２】
前記発熱素子を、ホルダー部材を介して前記取付ベースに熱的に結合させて配置して、前記加熱手段を、前記ホルダー部材に熱的に結合させて配置し、前記冷却手段を前記ホルダー部材の温度に応じて駆動することを特徴とする請求項１記載の温調装置。
【請求項３】
取付ベースに熱的に結合されて配置される発熱素子と、
前記取付ベースに熱的に結合されて配置され、前記発熱素子と協働して共振器を構成する光学部品と、
前記発熱素子及び前記光学素子に近接して前記取付ベースに熱的に結合されて配置され、該取付ベースの前記発熱素子近傍及び前記光学素子近傍を加熱制御する加熱手段と、
前記取付ベースを冷却する冷却手段と、
この冷却手段を、前記取付ベースの発熱素子近傍の温度に応じて駆動して前記取付ベースを温度制御する温調制御手段と、
前記発熱素子の非駆動状態で、前記加熱手段を駆動制御し、前記発熱素子の駆動に応動して前記加熱手段の駆動を停止する発熱制御手段と、
を具備することを特徴とする温調装置。
【請求項４】
前記発熱素子及び前記光学部品を、ホルダー部材を介して前記取付ベースに熱的に結合させて配置して、前記加熱手段を、前記ホルダー部材に熱的に結合させて配置し、前記冷却手段を前記ホルダー部材の温度に応じて駆動することを特徴とする請求項３記載の温調装置。
【請求項５】
前記発熱制御手段は、前記取付ベースが定常温度状態において、前記発熱素子の駆動に応動して前記加熱手段の駆動を停止制御することを特徴とする請求項１乃至４のいずれか記載の温調装置。
【請求項６】
前記発熱制御手段は、前記取付ベースが定常温度状態において、前記発熱素子の駆動に応動して前記加熱手段を前記発熱素子の発熱量を含む総発熱量が一定になるように駆動制御することを特徴とする請求項１乃至４のいずれか記載の温調装置。
【請求項７】
前記加熱手段は、前記発熱素子の発熱量に等しい熱量を発生することを特徴とする請求項１乃至６いずれか記載の温調装置。
【発明の詳細な説明】
【技術分野】
【０００１】
この発明は、例えば共振器を備える光学機器や温度に応じて出力特性が変化する発熱素子を備える電子機器の温度調節に用いるのに好適する温調装置に関する。
【背景技術】
【０００２】
一般に、光学機器や電子機器においては、発熱素子である電子部品が多数搭載され、この電子部品の性能を確保するために、電子部品を温度制御する各種の冷却構造が備えられている。そして、このような冷却構造としては、最近の電子部品の性能効率の向上と共に、電子部品の使用形態の多様化等により、これに対応可能な各種の構成のものが提案されている。
【０００３】
このような冷却構造には、発熱素子である電子部品、例えば半導体レーザ等の複数の被温度制御物体を周知のペルチェ素子を用いて高効率な温度制御を実行する構成のものが知られている（例えば、特許文献１参照。）。この複数の被温度制御物体は、それぞれペルチェ素子の一方の面に熱的に結合されて配される。そして、この被温度制御物体がそれぞれ熱的に結合された複数のペルチェ素子は、その他方の面が、同一のヒートシンク部材上に熱的に結合されて配置される。
【０００４】
このように、複数の被温度制御物体は、それぞれペルチェ素子を介して独立にヒートシンク部材に熱的に結合されて配置される。この複数のペルチェ素子は、その一方の面に配した温度センサの検出信号に応じて通電状態が可変制御されて、ヒートシンク部材と協働して複数の被温度制御物体を予め定めた温度プロフィルに基づいて大きな熱流束で温度制御を実行する。
【特許文献１】特開平８−１８６２０５号公報
【発明の開示】
【発明が解決しようとする課題】
【０００５】
しかしながら、上記冷却構造では、被温度制御物体毎に独立してペルチェ素子を備える構成上、部品点数が多くなるために、構成が複雑となり、大形となるという不都合を有する。
【０００６】
この発明は、上記の事情に鑑みてなされたもので、構成簡易にして、発熱素子の安定した迅速な立ち上がり始動を実現し得るようにした温調装置を提供することを目的とする。
【課題を解決するための手段】
【０００７】
この発明は、取付ベースに熱的に結合されて配置された発熱素子と、この発熱素子に近接して前記取付ベースに熱的に結合されて配置され、該取付ベースを加熱制御する加熱手段と、前記取付ベースを冷却する冷却手段と、この冷却手段を、前記取付ベースの発熱素子近傍の温度に応じて駆動して前記取付ベースを温度制御する温調制御手段と、前記発熱素子の非駆動状態で、前記加熱手段を駆動制御し、前記発熱素子の駆動に応動して前記加熱手段の駆動を停止する発熱制御手段とを備えて温調装置を構成した。
【０００８】
上記構成によれば、取付ベースは、発熱素子の非駆動状態において、加熱手段により発熱素子の近傍が加熱されると共に、冷却手段により温度制御されることにより、発熱素子駆動時における定常温度状態が維持され、発熱素子が駆動されると、これに応動して、加熱手段の駆動が停止されて発熱素子が発熱されると共に、冷却手段による温度制御が行われることにより、同様の定常温度状態が維持される。従って、発熱素子の安定した迅速な立ち上り始動が実現されると共に、発熱素子の高効率な熱制御を実現することが可能となる。
【発明の効果】
【０００９】
以上述べたように、この発明によれば、構成簡易にして、発熱素子の安定した迅速な立ち上がり始動を実現し得るようにした温調装置を提供することができる。
【発明を実施するための最良の形態】
【００１０】
以下、この発明の実施の形態について、図面を参照して詳細に説明する。
【００１１】
図１は、この発明の一実施の形態に係る温調装置を示すもので、取付ベース１０には、その一方の面に、例えば共振器を構成する発熱素子である結晶１１を挟んで、光学部品である第１及び第２のハーフミラー１２，１３が、それぞれ結晶ホルダー部材１４、第１及び第２のミラーホルダー部材１５，１６を介して光学軸を同一にして所定の間隔を有して対向配置されている。この結晶１１、第１及び第２のハーフミラー１２，１３は、それぞれ結晶ホルダー部材１４、第１及び第２のミラーホルダー部材１５，１６を介して取付ベース１０と熱的に結合される。
【００１２】
そして、この結晶ホルダー部材１４、第１及び第２のミラーホルダー部材１５，１６には、加熱手段を構成する加熱ヒータ１７，１８，１９がそれぞれ熱的に結合されて取付けられている。この加熱ヒータ１７，１８，１９は、例えば結晶１１、第１及び第２のハーフミラー１２，１３の駆動に伴う熱量と略同等の発熱量を有し、その各信号入力端には、発熱制御手段を構成するヒータ駆動部２０が接続されている。
【００１３】
ここで、加熱ヒータ１７，１８，１９は、例えば結晶ホルダー部材１４、第１及び第２のミラーホルダー部材１５，１６上に配置したり、結晶ホルダー部材１４、第１及び第２のミラーホルダー部材１５，１６の周囲の取付ベース１０に配置したり、結晶ホルダー部材１４、第１及び第２のミラーホルダー部材１５，１６と取付ベース１０の間に挟装配置され、上記結晶１１、第１及び第２のハーフミラー１２，１３に対して熱的に近接する配置することが好ましい。
【００１４】
上記ヒータ駆動部２０には、レーザ発生器２１が接続され、このレーザ発生器２１からパワー信号が出力されていない非駆動状態（オフ状態）で、ヒータ駆動信号を上記加熱ヒータ１７，１８，１９にそれぞれ選択的に供給する。加熱ヒータ１７，１８，１９は、結晶ホルダー部材１４、第１及び第２のミラーホルダー部材１５，１６を、レーザ光供給時における結晶１１、第１及び第２のハーフミラー１２，１３の発熱量と同等の熱量を発生するように加熱制御される。そして、レーザ発生器２１からパワー信号が出力されると、ヒータ駆動部２０は、例えばヒータ駆動電力の供給を停止する。
【００１５】
上記レーザ発生器２１は、上記第１のハーフミラー１２に対応して設けられ、図示しない制御部からの制御信号に応動して例えば波長Ａのレーザ光を第１のハーフミラー１２の光軸上に射出する。この波長Ａのレーザ光は、第１のハーフミラー１２を透過して結晶１１に導かれて該結晶１１で波長Ｂに変換されると共に、一部の波長Ａのレーザ光が透過されて第２のハーフミラー１３に導かれる。
【００１６】
この第２のハーフミラー１３では、波長Ａのレーザ光が全て反射されて波長Ｂのレーザ光の一部が出力される。そして、第２のハーフミラー１３で反射された波長Ａと波長Ｂの一部のレーザ光は、再び、結晶１１を通って第１のハーフミラー１２で全反射されて、結晶１１、第２のハーフミラー１３に順に導かれて、その度毎に、波長Ｂに変換されて、その一部の波長Ｂが第２のハーフミラー１３から取り出されることで、波長変換の効率が高められる。
【００１７】
また、上記取付ベース１０の他方の面には、冷却手段として、例えばペルチェ素子等で構成された冷却器２２が熱的に結合されて配置され、この冷却器２２には、温調制御手段である温調制御部２３が接続されている。そして、この温調制御部２３には、温度センサ２４の出力端が接続されている。
【００１８】
温度センサ２４は、例えば結晶ホルダー部材１４に設けられ、該結晶ホルダー部材１４の温度を検出して検出信号を上記温調制御部２３に出力する。温調制御部２３は、温度センサ２４の検出信号に基づいて冷却器２２を駆動制御して、取付ベース１０を所望の温度に温度制御する。
【００１９】
上記構成において、温調制御部２３は、レーザ発生器２１からパワー信号が出力されていない共振器の非駆動状態で、温度センサ２４の検出信号に基づいて冷却器２２を駆動制御して、取付ベース１０を所望の温度に温度制御し、定常温度状態に設定する。この定常温度状態で、ヒータ駆動部２０は、ヒータ駆動電力を加熱ヒータ１７，１８，１９にそれぞれ選択的に供給する。すると、加熱ヒータ１７，１８，１９は、各結晶ホルダー部材１４、第１及び第２のミラーホルダー部材１５，１６を、レーザ光を供給した共振器の駆動（オン）状態における結晶１１、第１及び第２のハーフミラー１２，１３の発熱量と同等の熱量を発生して、該結晶ホルダー部材１４、第１及び第２のミラーホルダー部材１５，１６を上記結晶１１、第１及び第２のハーフミラー１２，１３が作動された状態と同様に加熱制御する。
【００２０】
この加熱ヒータ１７，１８，１９の駆動状態において、上記温調制御部２３は、温度センサ２４の検出信号に基づいて冷却器２２を駆動制御して、取付ベース１０を、所望の温度に温度制御し、該取付ベース１０を上記結晶１１、第１及び第２のハーフミラー１２，１３の作動状態と同等の定常温度状態に設定して維持する。
【００２１】
この定常温度状態において、レーザ発生器２１が駆動されて波長Ａのレーザ光が出射され、該レーザ光が上述したように結晶１１、第１及び第２のハーフミラー１２，１３に導かれて共振器が駆動される。同時に、レーザ発生器２１から波長Ａのレーザ光が出射されると、該レーザ発生器２１は、パワー信号を、ヒータ駆動部２０に出力する。ここで、ヒータ駆動部２０は、入力したパワー信号に応動して例えば、加熱ヒータ１７，１８，１９の駆動を停止させる。
【００２２】
このレーザ発生器２１が駆動されて共振器が駆動され、加熱ヒータ１７，１８，１９の駆動が停止された状態において、上記温調制御部２３は、温度センサ２４の検出信号に基づいて冷却器２２を駆動して、上記取付ベース１０を所望の温度に温度制御し、定常温度状態を維持する。
【００２３】
この定常温度状態において、例えばレーザ発生器２１、結晶１１、第１及び第２のハーフミラー１２，１３のアライメント調整が行われて、使用に供される。ここで、上記レーザ発生器２１から出射されたレーザ光は、全てが第１のハーフミラー１２を透過して結晶１１を通過することで、一部が波長Ｂに変換されると共に、一部の波長Ａのレーザ光が透過されて、第２のハーフミラー１３に導かれる。この第２のハーフミラー１３では、波長Ａのレーザ光が全て反射されると共に、波長Ｂのレーザ光の一部が出力され、以後、結晶１１、第１のハーフミラー１２との間で同様の光伝送が繰返されて、その度毎に、波長Ｂに変換され、その一部の波長Ｂが取り出され、上述したように波長変換の効率が高められる。
【００２４】
このように、上記温調装置は、共振器を構成する結晶１１、第１及び第２のハーフミラー１２，１３を、結晶ホルダー部材１４、第１及び第２のミラーホルダー部材１５，１６を介して取付ベース１０に配置して、この結晶ホルダー部材１４、第１及び第２のミラーホルダー部材１５，１６に加熱ヒータ１７，１８，１９を熱的に結合して配置すると共に、取付ベース１０に冷却器２２を設け、レーザ光を照射していない共振器の非駆動状態で加熱ヒータ１７，１８，１９を駆動して結晶ホルダー部材１４、第１及び第２のミラーホルダー部材１５，１６を加熱制御すると共に、冷却器２２で取付ベース１０を温度制御し、レーザ光を照射した共振器の駆動状態で、加熱ヒータ１７，１８，１９の駆動が停止制御されて共振器が発熱されると共に、冷却器２２による取付ベース１０の温度制御を行うように構成した。
【００２５】
これによれば、共振器の非駆動状態において、加熱ヒータ１７，１８，１９により結晶ホルダー部材１４，第１及び第２のミラーホルダー部材１５，１６が加熱されると共に、取付ベース１０が冷却器２２により温度制御されることにより、共振器の駆動時における定常温度状態が維持され、レーザ光が発信されて駆動が開始されると、加熱ヒータ１７，１８，１９の駆動が停止制御されると共に、冷却器２２による温度制御が継続されることにより、同様の定常温度状態が維持される。この結果、小形化を確保したうえで、温度の影響を受けることなく、共振器の安定した迅速な立ち上り始動が実現される。
【００２６】
なお、上記実施の形態では、共振器が非駆動状態から駆動状態に設定された状態で、加熱ヒータ１７，１８，１９の駆動を停止させるように構成した場合について説明したが、これに限ることなく、その他、例えば図２及び図３に示すように加熱ヒータ１７，１８，１９を駆動制御するように構成してもよく、さらに良好な効果が期待される。但し、この実施の形態の説明においては、上記図１と同一部分について同一符号を付して、その詳細な説明を省略する。
【００２７】
即ち、この実施の形態においては、ステップＳ１において、共振器の非駆動状態において、冷却器２２を、図３に示す時間Ｔ１で駆動して取付ベース１０を温度制御すると共に、加熱ヒータ１７，１８，１９を駆動して結晶ホルダー部材１４、第１及び第２のミラーホルダー部材１５，１６を加熱制御して、取付ベース１０を共振器の駆動状態と同様の定常温度状態に温度制御する（ステップＳ２）。そして、ステップＳ３において、レーザ発生器２１が時間Ｔ２で駆動されて共振器が作動されると、該レーザ発生器２１のパワー信号がヒータ駆動部２０に入力される。
【００２８】
すると、ステップＳ４に移行して、ヒータ駆動部２０は、加熱ヒータ１７，１８，１９を、既知の結晶１１、第１及び第２のハーフミラー１２，１３の各発熱量に基づいて上記時間Ｔ２から該結晶１１、第１及び第２のハーフミラー１２，１３の発熱量との総発熱量が一定になるように駆動制御して、共振器の発熱量が最大となる時間Ｔ３で駆動を停止する（図３参照）。
【００２９】
この際、上記温調制御部２３は、冷却器２２を温度センサ２４の検出信号に基づいて駆動制御して、取付ベース１０を定常温度状態に設定する。これにより、さらに、共振器の非駆動状態から駆動状態に設定される切換時における取付ベース１０の安定した高精度な温度制御を行うことが可能となる。
【００３０】
また、上記実施の形態では、発熱素子である結晶１１を、結晶ホルダー部材１４を用いて取付ベース１０に配置し、光学部品である第１及び第２のハーフミラー１２，１３を第１及び第２のミラーホルダー部材１５，１６を用いて取付ベース１０に配置するように構成した場合について説明したが、これに限ることなく、その他、例えば結晶１１、第１及び第２のハーフミラー１２，１３を直接的に取付ベース１０に取付け配置するように構成することも可能で、同様に有効な効果が期待される。この場合には、加熱ヒータ１７，１８，１９を、例えば結晶１１、第１及び第２のハーフミラー１２，１３に近接させて直接的に取付ベース１０に取付け配置すると共に、取付ベース１０の結晶１１の近傍を、温度センサ２４を用いて検出して、この検出信号に基づいて冷却器２２を駆動して取付ベース１０の温度制御を行うように構成される。
【００３１】
さらに、上記実施の形態では、発熱素子である結晶１１と、光学部品である第１及び第２のハーフミラー１２，１３を用いて構成した共振器に適用した場合について説明したが、これに限ることなく、その他、発熱素子として、例えば出力特性が、温度に応じて変化するような電子部品の熱制御に適用するように構成してもよい。
【００３２】
この実施の形態においては、電子部品を、駆動前に、所望の出力を得ることのできる温度に設定しておくことができることで、電子部品の安定した立ち上がり始動と共に、容易に高効率な駆動制御が可能となるため、電子部品の有効利用を容易に実現することができる。
【００３３】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３４】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３５】
【図１】この発明の一実施の形態に係る温調装置の構成を示したブロック図である。
【図２】この発明の他の実施の形態に係る温調装置の動作手順を説明するために示したフローチャートである。
【図３】図２における加熱ヒータ、発熱素子、冷却器の動作関係を説明するために示した特性図である。
【符号の説明】
【００３６】
１０…取付ベース、１１…結晶、１２，１３…第１及び第２のハーフミラー、１４…結晶ホルダー部材、１５，１６…第１及び第２のミラーホルダー部材、１７，１８，１９…加熱ヒータ、２０…ヒータ駆動部、２１…レーザ発生器、２２…冷却器、２３…温調制御部、２４…温度センサ。
【図１】
2010093201.tif 000003
【図２】
2010093201.tif 000004
【図３】
2010093201.tif 000005